(57)【特許請求の範囲】
【請求項１】
表側に筆記面を有したシート本体と、このシート本体の筆記面の一部に施したマークと、このマークに対応するシート本体の一部に設けられ前記シート本体を起立面に取り付けるために使用される取付手段とを具備してなり、
前記取付手段が、前記シート本体の裏面に設けられた接着シートであり、この接着シートが、前記マークの略真裏に設けられたものであり、
前記接着シートが、前記シート本体における前記マークの所在する部位近傍に凹凸形状を生じさせる所定厚みを有したものであることを特徴とする筆記シート。
【請求項２】
前記シート本体が矩形状をなすものであり、前記マークが、前記筆記面の四隅にそれぞれ設けられたものである請求項１記載の筆記シート。
【請求項３】
前記マークが、前記筆記面を電子的に処理可能な映像撮影装置によって撮影した際における映像の傾きや歪みを前記映像撮影装置の専用ソフトウェアによって、前記シート本体を正方形又は長方形の映像に修正するための目印として用いられるものである請求項１又は２記載の筆記シート。
【請求項４】
前記マークが、四箇所に略９０°に折り曲がる角部を備えた略ロの字状の表示である請求項１、２又は３記載の筆記ノート。
【発明の詳細な説明】
【技術分野】
【０００１】
本発明は、マーカ等の筆記具により書き込み可能な筆記面を有した筆記シートに関する。
【背景技術】
【０００２】
従来から、いわゆるシートタイプのホワイトボードとして起立面に取り付けて使用することができる筆記シートが知られている（例えば、非特許文献１を参照）。このものは、壁面等の起立面に配されて使用されることを主たる用途にしているものであり、シートの裏面の全領域にマグネット等の取付手段を設けている。
【０００３】
ところが、マグネットを用いたものはＩＣカードや電子機器等に悪影響を及ぼすという懸念がある上に、設置すべき起立面がマグネットを取り付け可能な金属製のものであることが必須であり、使用できる態様が限られてしまうという問題がある。
【０００４】
このような不具合を解消するために、例えば、裏面の所要箇所に複数の接着シートを添設しておき、これら接着シートの接着力により筆記シート全体を起立面に保持させることが考えられる。
【０００５】
ところが、このような構成のものでは、複数の接着シートを添接した部位が他の部位よりも表面側に膨らんでしまい、筆記作業に支障をきたすという不具合の発生が考えられる。
【０００６】
なお、前述した不具合すなわち筆記作業への支障は、接着シート以外の取付手段を部分的に設けた場合においても同様に予想される。
【先行技術文献】
【特許文献】
【０００７】
【特許文献１】“ホワイトボード”，コクヨ総合カタログ２０１１年版ステーショナリー編，コクヨ株式会社，平成２２年１２月，ｐ．５６４
【発明の概要】
【発明が解決しようとする課題】
【０００８】
本発明は、以上の事情に着目してなされたものであり、筆記に支障を与えることなく、マグネットを用いた筆記シートが有している問題点を解消することができる筆記シートを提供することを目的とするものである。
【課題を解決するための手段】
【０００９】
すなわち、請求項１に記載の発明は、表表側に筆記面を有したシート本体と、このシート本体の筆記面の一部に施したマークと、このマークに対応するシート本体の一部に設けられ前記シート本体を起立面に取り付けるために使用される取付手段とを具備してなり、
前記取付手段が、前記シート本体の裏面に設けられた接着シートであり、この接着シートが、前記マークの略真裏に設けられたものであり、前記接着シートが、前記シート本体における前記マークの所在する部位近傍に凹凸形状を生じさせる所定厚みを有したものであることを特徴とする筆記シートである。
【００１１】
請求項２に記載の筆記シートは、請求項１に記載の構成において、前記シート本体が矩形状をなすものであり、前記マークが、前記筆記面の四隅にそれぞれ設けられたものである。
【００１２】
請求項３に記載の筆記シートは、請求項１又は２に記載の構成において、前記マークが、前記筆記面を電子的に処理可能な映像撮影装置によって撮影した際における映像の傾きや歪みを前記映像撮影装置の専用ソフトウェアによって、前記シート本体を正方形又は長方形の映像に修正するための目印として用いられるものである。
【００１４】
請求項４に記載の筆記シートは、請求項１、２又は３に記載の構成において、前記マークが、四箇所に略９０°に折り曲がる角部を備えた略ロの字状の表示のものである。
【発明の効果】
【００１５】
以上説明したように本発明によれば、筆記に支障を与えることがなく、マグネットを用いた筆記シートが有している問題点を解消することができる筆記シートを提供することができる。
【図面の簡単な説明】
【００１６】
【図１】本発明の一実施形態を示す正面図（筆記シートの表側）。
【図２】同実施形態における背面図（筆記シートの裏側）。
【図３】図１の部分拡大図。
【図４】図３におけるＸ−Ｘ線断面図。
【図５】本実施形態の筆記シートの一使用態様を示す説明図。
【図６】同説明図。
【図７】同説明図。
【図８】参考例を示す正面図。
【発明を実施するための形態】
【００１７】
以下、本発明の一実施形態を、図１〜図７を参照して説明する。
【００１８】
この実施形態は、本発明を、例えば図６に示すような、家具たるテーブルＴの天板面Ｔ１上で使用する態様と、図７に示すような、ハードタイプのホワイトボードＨにおける起立面であるボード面Ｈ１に保持させて使用する態様とを選択的に採り得るようにしたソフトタイプのホワイトボードとも称される筆記ボードＢに適用した場合のものである。
【００１９】
この筆記シートＢは、表側に筆記面１１を有したシート本体１と、このシート本体１の筆記面１１の一部に施したマーク２と、このマーク２に対応するシート本体１の一部に設けられ前記シート本体１をボード面Ｈ１に接着して取り付けるために使用されるとともにテーブルＴの天板面Ｔ１上に接着して固定するために使用される取付手段たる接着シート３とを具備してなる。
【００２０】
シート本体１は、可撓変形可能なシート状の基材１３と、この基材１３の表面に設けられ前記筆記面１１を形成する白色の表面材１４とを備えたものである。シート本体１は、全体として略矩形状をなしており、具体的には、上下寸法（縦幅寸法）及び左右寸法（横幅寸法）を約１１１ｍｍに設定している。なお、本実施形態におけるシート本体１は、厚み寸法が約１ｍｍに設定されている。シート本体１の四か所の角部分Ｃの端縁は、曲線的に形成されており、手指等を傷つけないようにしてある。シート本体１は、全体が可撓性を備えたシート状をなしているものであり、不使用時には全体を筒状に丸めてコンパクトにして収納することもできるようになっている。シート本体１の表面である筆記面１１は、マーカＭで文字や絵図を記入したり、イレイザーＥでその文字や絵図等を消したりすることができるようにした通常のものである。
【００２１】
マーク２は、任意のデザインを視覚的に認識させるためにシート本体１の表面、すなわち、前記筆記面１１の四隅にそれぞれ設けられた印である。より具体的に説明すれば、このマーク２は前記筆記面１１に直接印刷されたもので、枡形形状、換言すれば、略ロの字形をなしている。このマーク２には四箇所の位置に略９０°に折り曲がった角部２１すなわち、縦線２１ａと横線２１ｂによって形成された四つの角部２１を備えている。
【００２２】
しかして、本実施形態におけるマーク２は、筆記面１１をスマートフォンＳ等の電子的に処理可能な映像撮影装置によって撮影した際における、撮影された映像の傾きや歪みを修正するための目印として用いられる。撮影された映像の傾きや歪みの修正は、専用のアプリケーションによって行われる。具体的には、映像撮影装置の専用アプリケーション（ソフトウェア）が、映像撮影装置によって傾いて撮影されたシート本体１の映像や、同装置によって台形状に撮影されたシート本体１の映像等の歪みのある映像を、シート本体１に表示されたマーク２を利用して、正方形又は長方形のシート本体１の映像情報に補正・修正する。
【００２３】
ここで、近時においては、ノートの用紙等の四隅の所定箇所に所定形状のマークである読み取りマーク（スキャンマーク）を設けておき、スマートフォンに付属のカメラで撮影したシートの情報を、読み取りマークを利用して傾きや歪みを補正し、綺麗にデータ化するためのアプリケーションが種々開発されている。本実施形態における筆記シートＢを、例えば図７に示すように、スマートフォンＳに搭載されたカメラで撮影して画像修正するためのスマートフォン用専用アプリケーションとしては、例えば、「ＣａｍｉＡｐｐ＼キャミアップ」（コクヨ株式会社の商標）がある。
【００２４】
接着シート３は、前記シート本体１の裏側、すなわち、シート本体１の裏面１２における四箇所のマーク２に対応する四箇所の部位にそれぞれ設けられたものである。すなわち、前記各接着シート３は、表面にある各マーク２の略真裏にそれぞれ設けられている。より具体的に説明すれば、接着シート３は、シート本体１に添着された基材３１の外面に多数回の接着と剥離とを繰り返すことが可能な接着面３２を備えた略円形状のものであり、厚み寸法が約１ｍｍ、直径が約５０ｍｍに設定されている。本実施形態に示す接着シート３は、接着面３２に微細な凹凸（図示せず）が形成されてあり、この微細な凹凸が吸盤となって天板面Ｔ１や起立面Ｈ１等の所定箇所に容易に接着できるようになっている。
【００２５】
接着シート３は、シート本体１の表面１１に設けられたマーク２に対応する裏面１２に設けられている。すなわち、図３及び図４に示すように、本実施形態に示されるものは、正面視において、円形をなしている接着シート３が、マーク２の略真裏に配されている。接着シート３は、マーク２に外接する程度の大きさの円形をなしている。この実施形態における接着シート３の大きさは、マーク２の縦幅寸法・横幅寸法の２倍以下の縦幅寸法・横幅寸法に設定されている。
【００２６】
このように、本実施形態に係る筆記シートＢは、表側に筆記面１１を有したシート本体１と、このシート本体１の筆記面１１の一部に施したマーク２と、このマーク２に対応するシート本体１の一部に設けられ前記シート本体１を起立面Ｈ１に取り付けるために使用される取付手段たる接着シート３とを具備してなるものであるため、使用者は、マーク２の存在によって自然に接着シート３を避けるようにして筆記を行うように誘導される。すなわち、シート本体１の裏面１２に接着シート３が部分的に設けられることによって生ずる凹凸形状がマーク２と略同じ位置ないしマーク２の近傍に形成されるため、実際に筆記が行われる筆記面１１の中央部分に凹凸が生ずることが無く快適な筆記に支障を来さないものとなる。
【００２７】
しかも、近年のオフィスにおいては、研究スペースの効率化や能率の向上を図るべく、図６に示すような、筆記シートＢを天板面Ｔ１上に配して使用する形態と、図７に示すような、起立面Ｈ１に配して使用する形態とを迅速かつ軽快に切り替えて柔軟に使用できることが求められているところ、本実施形態に係る筆記シートＢであれば、接着シート３がシート本体１の裏面１２の全部に設けられているものではなく、筆記面１１の一部に施したマーク２に対応させて、シート本体１の裏面の一部分に設けられている。このため、本実施形態における筆記シートＢであれば、過度な接着力を抑制しつつ適切な接着力を発揮して、シート本体１の天板面Ｔ１や起立面Ｈ１に対する取り付け及び取り外しを迅速かつ軽快に行うことができるものとなる。
【００２８】
本実施形態における取付手段３は、前記シート本体１の裏面１２に設けられた接着シート３であるため、シート本体１を取り付ける箇所に制約が無くなり、柔軟な研究スペースの利用に寄与するものとなる。換言すれば、取付手段が接着シート３であるため、従来のようなマグネット対応の金属を備えた家具のみにしか取り付けられないといった技術的な制約が無くなり、金属を備えた家具以外の種々の起立面に取り付けることができるものとなっている。
【００２９】
本実施形態における接着シート３は、シート本体１に対して四箇所に部分的に設けられているものであるため、接着シート３の面積が従来の如く略全面に設けられているものと比べて面積となりコストダウンに寄与するものとなっている。
【００３０】
シート本体１が略矩形状をなすものであり、前記マーク２が、前記筆記面１１の四隅Ｃにそれぞれ設けられたものであるため、一般的な矩形状をなす家具の天板に載置して利用しやすいものとなっている。
【００３１】
接着シート３は、四角形のシート本体１における表面１１の四隅Ｃにあるマーク２に対応させて、裏面１２の四隅Ｃに配されているため、使用者にマーク２を避けた筆記を自然に誘導し、シート本体１の微細な歪みや凹凸に影響されて筆記面１１への快適な筆記に支障が生ずることも好適に回避することができるようになっている。
【００３２】
接着シート３が、シート本体１の裏面１２の四隅Ｃに部分的に配されているため、シート本体１における接着シート３が配された部分近傍（特に接着シート３の縁部近傍）における起立面Ｈ１又は天板面Ｔ１とシート本体１との間に若干の隙間が形成される（図４を参照）ことになり、手指をシート本体１の縁部に掛け易くしているため、シート本体１が取り付けられる天板面Ｔ１や起立面Ｈ１からシート本体１を容易に離脱させることができる。
【００３３】
前記マーク２が、筆記面１１を撮影した際における映像の傾きや歪みを修正するための目印として用いられるものであるため、ノートより遥かに大きな面積を有した筆記シートＢの筆記面１１に記載した情報を、スマートフォンＳ等の所定のアプリケーションを備えた画像処理装置によって綺麗にデータ化することができる。
【００３４】
前記接着シート３が、前記マーク２の略真裏に設けられたものであるため、換言すれば、使用者の筆記が自然に回避される部分であるマーク２の表示領域の略真裏の領域に所定厚みの接着シート３が配されているため、凹凸形状をマーク２の所在する部位近傍にのみ生じさせて、使用者の軽快な筆記に支障を与えにくいものとなっている。
【００３５】
なお、本発明は、以上に詳述した実施形態に限られるものではない。
【００３７】
ここで、図８に示すものは、参考例である接着シートＦＢを示している。前述した実施形態と同一又は相当する構成については、頭に「Ｆ」を付した上で、同一の符号を付すものとし、説明を省略する。図８に示す筆記シートＦＢは、表側に筆記面Ｆ１１を有したシート本体Ｆ１と、シート本体Ｆ１の筆記面Ｆ１１の一部に施したマークＦ２と、このマークＦ２に対応するシート本体Ｆ１１の一部に設けられシート本体Ｆ１を起立面に取り付けるために使用される取付手段たる貫通孔Ｆ３を具備してなるものである。より具体的に言えば、貫通孔Ｆ３は、円孔であり、枡形状のマークＦ２に囲まれた内側領域に穿設されている。このような構成のものであっても、筆記に支障を与えることがなくなり、所期の目的を達成することができる。なお、図８に示すものは、貫通孔Ｆ３が、壁面等の起立面に設けられたフック等の係合突起に係合することにより、起立面に取り付けられる。
【００３８】
上述した実施形態におけるマークは、筆記面を撮影した際における映像の傾きや歪みを修正するための目印として用いられるものであったが、これに限定されるものではなく、例えば、マークが意匠性を向上させる目的のものであってもよい。
【００３９】
なお、筆記面を撮影した際における映像の傾きや歪みを修正するための目印として用いられるマークは、上述した形状のものには限定されない。すなわち、マークの形状は、アプリケーションが修正のために認識可能な形状であればよく、適宜の形状を適用することができる。
【００４０】
上述した実施形態に示されるマークは、筆記面に直接印刷されたものであるとして説明しているが、例えば、ステッカー等の別体のものにマークを形成してこれをシート本体に貼り設けるようにしたものであってもよい。或いは、マークは、必要に応じてマーカによる筆記によって表出させるようにしたものであってもよく、例えば、マーカで塗りつぶすことにより所定の形状を表出させるためのガイド線のようなマークを適用しても良い。
【００４１】
シート本体は、本実施形態に示されるものには限定されず、種々の形状のものや、面積のものや、厚み寸法のものを適宜適用することができる。
【００４２】
接着シートは、本実施形態に示されるものには限定されず、必要な接着力を発揮し得る範囲で、種々の形状のものや、面積のものや、厚み寸法のものを適宜適用することができる。また、接着シートの天板面や起立面に対する具体的な接着手段も、本実施形態に示されるタイプのものには限定されず、例えば、接着剤層を設けた粘着タイプの接着シートを採用し、天板面や起立面に粘着させるようにしてもよい。その他、接着シートの接着手段は、種々のものを適用することができる。
【００４３】
筆記シートが取り付けられる「起立面」とは、本実施形態に示されるような家具の起立面に限られるものではなく、例えば、オフィスにおける壁面等であってもよい。同様に、筆記シートが、水平に配される態様としては、家具の天板面上に配される態様の他、例えば、オフィスにおける床面等の水平面であってもよい。
【００４４】
その他、各部の具体的構成についても上記実施形態に限られるものではなく、本発明の趣旨を逸脱しない範囲で種々変形が可能である。
【符号の説明】
【００４５】
１…シート本体
２…マーク
３…取付手段（接着シート）
１１…筆記面（表面）
Ｂ…筆記シート
【図１】
0005970783.tif 000002
【図２】
0005970783.tif 000003
【図３】
0005970783.tif 000004
【図４】
0005970783.tif 000005
【図５】
0005970783.tif 000006
【図６】
0005970783.tif 000007
【図７】
0005970783.tif 000008
【図８】
0005970783.tif 000009